【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
高性能のマルチスポットビームを生成するマルチビームアンテナシステムであって：
オーバサイズアンテナリフレクタであって、
反射スポットビームを広げて成形することによりアンテナ性能を向上させるために、標準のパラボラ形状から最適化された表面形状を有し、
直径が（（１００＊λ）／δ）よりも大きく、ここでλはインチ単位の波長であり、δは度で表したビーム間の間隔であるオーバサイズアンテナリフレクタと、
複数のアンテナ給電装置と
を含むシステム。
【請求項２】
高性能のマルチスポットビームを生成するマルチビームアンテナシステムであって：
２以上のオーバサイズアンテナリフレクタであって、
各オーバサイズアンテナリフレクタが、反射スポットビームを広げて成形することによりアンテナ性能を向上させるために、標準のパラボラ形状から最適化された表面形状を有し、
各オーバサイズアンテナリフレクタの直径が（（１００＊λ）／δ）よりも大きく、ここでλはインチ単位の波長であり、δは度で表したビーム間の間隔である２以上のオーバサイズアンテナリフレクタと、
各オーバサイズアンテナリフレクタ用の複数のアンテナ給電装置と
を含むシステム。
【請求項３】
前記オーバサイズアンテナリフレクタの焦点距離の、オーバサイズアンテナリフレクタの直径に対する比（Ｆ／Ｄ）が０．７より大きい、請求項１または２に記載のマルチビームアンテナシステム。
【請求項４】
複数のアンテナ給電装置が、コルゲートホーン、コニカルホーン、カップダイポールアンテナ、及びピラミッド型ホーンのうちの少なくとも１つを含む、請求項１に記載のマルチビームアンテナシステム。
【請求項５】
複数のアンテナ給電装置がピラミッド型ホーンである、請求項１に記載のマルチビームアンテナシステム。
【請求項６】
オーバサイズアンテナリフレクタの表面形状がオプティマイザで最適化されている、請求項１に記載のマルチビームアンテナシステム。
【請求項７】
システムがさらにアンテナサブリフレクタを含む、請求項１に記載のマルチビームアンテナシステム。
【請求項８】
オーバサイズアンテナリフレクタとアンテナサブリフレクタとが、側方給電型オフセットカセグレン（ＳＦＯＣ）構成、カセグレン構成、及びグレゴリー構成のうちの少なくとも１つを含む、請求項７に記載のマルチビームアンテナシステム。
【請求項９】
アンテナサブリフレクタの表面形状が標準のコニカル形状から最適化されている、請求項７に記載のマルチビームアンテナシステム。
【請求項１０】
高性能のマルチスポットビームを生成するマルチビームアンテナを使用する方法であって：
オーバサイズアンテナリフレクタであって、
反射スポットビームを広げて成形することによりアンテナ性能を向上させるために、標準のパラボラ形状から最適化された表面形状を有し、
直径が（（１００＊λ）／δ）よりも大きく、ここでλはインチ単位の波長であり、δは度で表したビーム間の間隔である
オーバサイズアンテナリフレクタを提供することと、
複数のアンテナ給電装置を使用して、マルチスポットビームを生成するために、オーバサイズアンテナリフレクタ上に高周波（ＲＦ）エネルギーを放射することとを含む方法。
【請求項１１】
オーバサイズアンテナリフレクタの焦点距離の、オーバサイズアンテナリフレクタの直径に対する比（Ｆ／Ｄ）が０．７より大きい、請求項１０に記載の方法。
【請求項１２】
複数のアンテナ給電装置が、コルゲートホーン、コニカルホーン、カップダイポールアンテナ、及びピラミッド型ホーンのうちの少なくとも１つを含む、請求項１０に記載の方法。
【請求項１３】
請求項１０記載の高性能のマルチスポットビームを生成するマルチビームアンテナを使用する方法であって：さらに、
アンテナサブリフレクタを提供することと、
複数のアンテナ給電装置を使用して、アンテナサブリフレクタに高周波（ＲＦ）エネルギーを放射することとを含み、ＲＦエネルギーがアンテナサブリフレクタからオーバサイズアンテナリフレクタに反射することによりマルチスポットビームが生成される方法。
【手続補正２】
【補正対象書類名】明細書
【補正対象項目名】００４１
【補正方法】変更
【補正の内容】
【００４１】
特定の実例となる実施形態及び方法を本明細書に開示してきたが、上記実施形態及び方法の変更及び修正を、本発明の真の精神及び範囲から逸脱することなく実施可能であることは前述した開示内容により当業者に明らかになり得る。開示された技術の他の多数の実施例が存在し、それぞれの実施例は詳細のみ他とは異なるものである。したがって、本発明は添付の請求項と、適用法の規定及び原理の要求に応じてのみ限定されるべきものである。
また、本願は以下に記載する態様を含む。
（態様１）
高性能のマルチスポットビームを生成するマルチビームアンテナシステムであって：
オーバサイズアンテナリフレクタであって、
反射スポットビームを広げて成形することによりアンテナ性能を向上させるために、標準のパラボラ形状から最適化された表面形状を有し、
直径が（（１００＊λ）／δ）よりも大きく、ここでλはインチ単位の波長であり、δは度で表したビーム間の間隔であるオーバサイズアンテナリフレクタと、
複数のアンテナ給電装置とを含むシステム。
（態様２）
オーバサイズアンテナリフレクタの焦点距離の、オーバサイズアンテナリフレクタの直径に対する比（Ｆ／Ｄ）が０．７より大きい、態様１に記載のマルチビームアンテナシステム。
（態様３）
複数のアンテナ給電装置が、コルゲートホーン、コニカルホーン、カップダイポールアンテナ、及びピラミッド型ホーンのうちの少なくとも１つを含む、態様１に記載のマルチビームアンテナシステム。
（態様４）
複数のアンテナ給電装置がピラミッド型ホーンである、態様１に記載のマルチビームアンテナシステム。
（態様５）
オーバサイズアンテナリフレクタの表面形状がオプティマイザで最適化されている、態様１に記載のマルチビームアンテナシステム。
（態様６）
システムがさらにアンテナサブリフレクタを含む、態様１に記載のマルチビームアンテナシステム。
（態様７）
オーバサイズアンテナリフレクタとアンテナサブリフレクタとが、側方給電型オフセットカセグレン（ＳＦＯＣ）構成、カセグレン構成、及びグレゴリー構成のうちの少なくとも１つを含む、態様６に記載のマルチビームアンテナシステム。
（態様８）
アンテナサブリフレクタの表面形状が標準のコニカル形状から最適化されている、態様６に記載のマルチビームアンテナシステム。
（態様９）
高性能のマルチスポットビームを生成するマルチビームアンテナシステムであって：
２以上のオーバサイズアンテナリフレクタであって、
各オーバサイズアンテナリフレクタが、反射スポットビームを広げて成形することによりアンテナ性能を向上させるために、標準のパラボラ形状から最適化された表面形状を有し、
各オーバサイズアンテナリフレクタの直径が（（１００＊λ）／δ）よりも大きく、ここでλはインチ単位の波長であり、δは度で表したビーム間の間隔である
２以上のオーバサイズアンテナリフレクタと、
各オーバサイズアンテナリフレクタ用の複数のアンテナ給電装置と
を含むシステム。
（態様１０）
高性能のマルチスポットビームを生成するマルチビームアンテナを使用する方法であって：
オーバサイズアンテナリフレクタであって、
反射スポットビームを広げて成形することによりアンテナ性能を向上させるために、標準のパラボラ形状から最適化された表面形状を有し、
直径が（（１００＊λ）／δ）よりも大きく、ここでλはインチ単位の波長であり、δは度で表したビーム間の間隔であるオーバサイズアンテナリフレクタを提供することと、
複数のアンテナ給電装置を使用して、マルチスポットビームを生成するために、オーバサイズアンテナリフレクタ上に高周波（ＲＦ）エネルギーを放射することと
を含む方法。
（態様１１）
オーバサイズアンテナリフレクタの焦点距離の、オーバサイズアンテナリフレクタの直径に対する比（Ｆ／Ｄ）が０．７より大きい、態様１０に記載の方法。
（態様１２）
複数のアンテナ給電装置が、コルゲートホーン、コニカルホーン、カップダイポールアンテナ、及びピラミッド型ホーンのうちの少なくとも１つを含む、態様１０に記載の方法。
（態様１３）
高性能のマルチスポットビームを生成するマルチビームアンテナを使用する方法であって：
オーバサイズアンテナリフレクタであって、
反射スポットビームを広げて成形することによりアンテナ性能を向上させるために、標準のパラボラ形状から最適化された表面形状を有し、
直径が（（１００＊λ）／δ）よりも大きく、ここでλはインチ単位の波長であり、δは度で表したビーム間の間隔である
オーバサイズアンテナリフレクタを提供することと、
アンテナサブリフレクタを提供することと、
複数のアンテナ給電装置を使用して、アンテナサブリフレクタに高周波（ＲＦ）エネルギーを放射することであって、ＲＦエネルギーがアンテナサブリフレクタからオーバサイズアンテナリフレクタに反射することによりマルチスポットビームが生成されることとを含む方法。
（態様１４）
高性能のマルチスポットビームを生成するマルチビームアンテナシステムであって：
２つのオーバサイズアンテナリフレクタであって、
各オーバサイズアンテナリフレクタが、反射スポットビームを広げて成形することによりアンテナ性能を向上させるために、標準のパラボラ形状から最適化された表面形状を有し、
各オーバサイズアンテナリフレクタの直径が（（１００＊λ）／δ）よりも大きく、ここでλはインチ単位の波長であり、δは度で表したビーム間の間隔である２つのオーバサイズアンテナリフレクタと、
各オーバサイズアンテナリフレクタ用の複数のアンテナ給電装置と
を含むシステム。
（態様１５）
各オーバサイズアンテナリフレクタの焦点距離の、各オーバサイズアンテナリフレクタの直径に対する比（Ｆ／Ｄ）が０．７より大きい、態様１４に記載のマルチビームアンテナシステム。